(57)【要約】電子機器のためのフラッシュシステムは、中央開口部を有するリング形状の光ガイドを含む。カメラレンズは、開口部の中または後方に置かれている。第１発光ダイオード（LED）がプリント回路基板（PCB）上にマウントされており、かつ、LEDおよびPCBはフラッシュシステムのモールドされた光ガイドによってカプセル化されている。同一のLEDおよびPCBが、モールドされた光ガイドの反対の端部で（つまり、１８０度離れて）カプセル化されている。各PCBの背面は、他のPCB上のLEDからの光を拡散反射する。光ガイド表面上の光抽出特徴は、LEDからの光を均一に漏れ出させる。光ガイドの発光プロフィールは、中央開口部の軸と整列されたピークを有し、かつ、カメラの視野のエッジに向けてロールオフしている。
2019519803.tif 000002
【特許請求の範囲】
【請求項１】
フラッシュシステムであって、
中央開口部を有するリングとして形成された光ガイドであり、該光ガイドの光排出面上に光抽出特徴を有している、光ガイドと、
第１コンダクタを含む第１プリント回路基板であり、第１発光ダイオード（ＬＥＤ）を前記第１コンダクタに対して電気的に接続するための第１表面を有している、第１プリント回路基板と、
前記第１表面上にマウントされ、かつ、前記第１コンダクタに対して電気的に接続されている第１ＬＥＤと、を含み、
前記第１プリント回路基板の少なくとも第１部分および前記第１ＬＥＤの全てが、前記光ガイドにおいてカプセル化されており、
前記第１プリント回路基板の第２部分が、電源に対して接続されるために前記光ガイドから延びており、かつ、
前記光ガイドは、前記光排出面を通じて放射されるまで、前記第１ＬＥＤからの光を、前記光ガイドの中で内部反射するように構成されている、
システム。
【請求項２】
前記システムは、さらに、
前記中央開口部の中または後方に置かれたカメラレンズ、を含む、
請求項１に記載のシステム。
【請求項３】
前記システムは、さらに、
第２コンダクタを含む第２プリント回路基板であり、第２ＬＥＤを前記第２コンダクタに対して電気的に接続するための第２表面を有している、第２プリント回路基板と、
前記第２表面上にマウントされ、かつ、前記第２コンダクタに対して電気的に接続されている第２ＬＥＤと、を含み、
前記第２プリント回路基板の少なくとも第１部分および前記第２ＬＥＤの全てが、前記光ガイドにおいてカプセル化されており、
前記第２プリント回路基板の第２部分が、前記電源に対して接続されるために前記光ガイドから延びており、
前記光ガイドは、被写体を照明するために前記光排出面を通じて放射されるまで、前記第１ＬＥＤおよび前記第２ＬＥＤからの光を、内部反射するように構成されており、
前記第２プリント回路基板の第２背面は、前記第１ＬＥＤからの光を反射するように構成されており、かつ、
前記第１プリント回路基板の第１背面は、前記第２ＬＥＤからの光を反射するように構成されている、
請求項１に記載のシステム。
【請求項４】
前記第１プリント回路基板の前記第１背面は、第１拡散性白色表面であり、かつ、
前記第２プリント回路基板の前記第２背面は、第２拡散性白色表面である、
請求項３に記載のシステム。
【請求項５】
前記第１ＬＥＤは、上面放射ＬＥＤであり、
前記第１プリント回路基板の前記第１表面は、前記光ガイドの前記光排出面に対して実質的に垂直であり、かつ、
前記第１プリント回路基板は、第１反射性背面を有している、
請求項１に記載のシステム。
【請求項６】
前記第１ＬＥＤは、側面放射ＬＥＤであり、かつ、
前記第１プリント回路基板の前記第１表面は、前記光ガイドの前記光排出面に対して平行である、
請求項１に記載のシステム。
【請求項７】
前記システムは、さらに、
前記光ガイドにおいてカプセル化された、追加のＬＥＤおよびプリント回路基板、を含む、
請求項１に記載のシステム。
【請求項８】
前記光排出面上の前記光抽出特徴は、
当たっている光の異なる量を抽出するために、形状、サイズ、及び／又は、コンフィグレーションのうち１つまたはそれ以上が変動しており、前記光排出面の周囲から出て行く光が実質的に均一になるようにしている、
請求項１に記載のシステム。
【請求項９】
前記光排出面から放射された光の発光プロフィールは、前記光ガイドから特定の距離において、前記中央開口部の軸と実質的に整列されたピークを有し、かつ、前記中央開口部から離れてロールオフしている、
請求項１に記載のシステム。
【請求項１０】
電子機器であって、
ハウジングと、
前記ハウジング上に配置されているフラッシュシステムと、
前記ハウジングの中に配置されているカメラと、
前記カメラに対して結合され、かつ、前記フラッシュシステムの光ガイドの中央開口部の中に配置されているカメラレンズと、を含み、
前記フラッシュシステムは、
前記中央開口部を有するリングとして形成された光ガイドであり、該光ガイドの光排出面上に光抽出特徴を有している、光ガイドと、
第１コンダクタを含む第１プリント回路基板であり、第１発光ダイオード（ＬＥＤ）を前記第１コンダクタに対して電気的に接続するための第１表面を有している、第１プリント回路基板と、
前記第１表面上にマウントされ、かつ、前記第１コンダクタに対して電気的に接続されている第１ＬＥＤと、を含み、
前記第１プリント回路基板の少なくとも第１部分および前記第１ＬＥＤの全てが、前記光ガイドにおいてカプセル化されており、
前記第１プリント回路基板の第２部分が、電源に対して接続されるために前記光ガイドから延びており、かつ、
前記光ガイドは、前記光排出面を通じて放射されるまで、前記第１ＬＥＤからの光を、前記光ガイドの中で内部反射するように構成されている、
電子機器。
【請求項１１】
前記フラッシュシステムは、さらに、
第２コンダクタを含む第２プリント回路基板であり、第２ＬＥＤを前記第２コンダクタに対して電気的に接続するための第２表面を有している、第２プリント回路基板と、
前記第２表面上にマウントされ、かつ、前記第２コンダクタに対して電気的に接続されている第２ＬＥＤと、を含み、
前記第２プリント回路基板の少なくとも第１部分および前記第２ＬＥＤの全てが、前記光ガイドにおいてカプセル化されており、
前記第２プリント回路基板の第２部分が、前記電源に対して接続されるために前記光ガイドから延びており、
前記光ガイドは、被写体を照明するために前記光排出面を通じて放射されるまで、前記第１ＬＥＤおよび前記第２ＬＥＤからの光を、内部反射するように構成されており、
前記第２プリント回路基板の第２背面は、前記第１ＬＥＤからの光を反射するように構成されており、かつ、
前記第１プリント回路基板の第１背面は、前記第２ＬＥＤからの光を反射するように構成されている、
請求項１に記載の電子機器。
【請求項１２】
前記第１プリント回路基板の前記第１背面は、第１拡散性白色表面であり、かつ、
前記第２プリント回路基板の前記第２背面は、第２拡散性白色表面である、
請求項１１に記載の電子機器。
【請求項１３】
前記第１ＬＥＤは、上面放射ＬＥＤであり、
前記第１プリント回路基板の前記第１表面は、前記光ガイドの前記光排出面に対して実質的に垂直であり、かつ、
前記第１プリント回路基板は、第１反射性背面を有している、
請求項１０に記載の電子機器。
【請求項１４】
前記第１ＬＥＤは、側面放射ＬＥＤであり、かつ、
前記第１プリント回路基板の前記第１表面は、前記光ガイドの前記光排出面に対して平行である、
請求項１０に記載の電子機器。
【請求項１５】
前記フラッシュシステムは、さらに、
前記光ガイドにおいてカプセル化された、追加のＬＥＤおよびプリント回路基板、を含む、
請求項１０に記載の電子機器。
【請求項１６】
前記光排出面上の前記光抽出特徴は、
当たっている光の異なる量を抽出するために、形状、サイズ、及び／又は、コンフィグレーションのうち１つまたはそれ以上が変動しており、前記光排出面の周囲から出て行く光が実質的に均一になるようにしている、
請求項１０に記載の電子機器。
【請求項１７】
前記光排出面から放射された光の発光プロフィールは、前記光ガイドから特定の距離において、前記中央開口部の軸と実質的に整列されたピークを有し、かつ、前記中央開口部から離れてロールオフしている、
請求項１０に記載の電子機器。
【発明の詳細な説明】
【技術分野】
【０００１】
本発明開示は、発光ダイオード（LED）を包含するカメラフラッシュに関する。そして、特定的には、カメラのレンズを取り囲むリング形状のカメラフラッシュに関する。
【０００２】
この特許申請は、２０１４年５月１３日に提出された米国仮特許出願第６２／３２７６２８号について優先権を主張する。これにより、その内容が、完全に明らかにされたかのように、ここにおいて参照により包含されている。
【背景技術】
【０００３】
比較的にコンパクトなスマートフォンおよび他の電子機器では、カメラが普及している。カメラのためのフラッシュは、典型的には、１つまたは２つの蛍光体変換、白色光発光ダイオード（「LED」）で形成されている。LEDの総面積が、典型的には、所与の駆動電流パルスについてフラッシュの瞬時輝度（instantaneous  brightness）を決定する。裸のLEDダイ（bare  LED  die）は、GaNベースであって、青色光を放射し、そして、蛍光体（典型的にはYAG）が黄色成分（または、赤色および緑色成分）を加えている。蛍光体を通じて漏れている青色光と、蛍光体自体によって提供される光との組み合わせが、フラッシュのための明るい白色光を生成する。
【０００４】
カメラのフラッシュは、典型的には、小さなフレネルレンズ（Fresnel  lens）または他のタイプのモールドされたプラスチックレンズを使用しており、カメラの視野における被写体（subject）に大部分の光を方向付けるように光をコリメート（collimate）する。フラッシュレンズは、典型的には小さく、そして、LEDはカメラレンズの片側に離れて存在している。小さなフラッシュユニットをデザインすることが困難であるため、LEDフラッシュユニットによって生成される照明品質は、典型的には低い。小型カメラのためのLEDフラッシュについて改善が必要である。
【発明の概要】
【０００５】
一つの実施形態においては、白色光LEDが、LEDアセンブリにおける金属コアプリント回路基板（MCPCB）の端部の近くにマウントされている。そうした２つのLEDアセンブリは、リング状の光ガイド（light  guide）の中へモールドされており、LEDアセンブリは、光ガイドにおいて１８０度離れている。光ガイド材料（例えば、透明なアクリル、ポリ（メタクリル酸メチル）（”PMMA”）など）がLEDおよびMCPCBを直接的にカプセル化するので、光ガイド材料に対してLEDの非常に良好な光学的結合（optical  coupling）が存在している。スマートフォンの小さなカメラレンズは、光ガイドの中央開口部の中または後方に置かれている。光ガイドの上面は、粗面、プリズム、等といった、注入された光を抽出する光学的特徴（optical  features）を有している。
【０００６】
２つのLEDから放射された光は、光が出て行くところである、光ガイドの上面に光が当たるまで、全内部反射（”TIR”）によって光ガイドの滑らかな側面および底面で反射される。反対側のLEDアセンブリの反射面に到達する一方のLEDアセンブリからの光は、光ガイドの中で拡散して反射されて戻る。光ガイドの表面上の光学的特徴は、光を均一に漏れ出させるように適合され得る。様々な実施形態において、LEDは、上面放射(top-emitting)LEDであり、または、側面放射(side-emitting)LEDである。光ガイドから突出するMCPCBの部分は、空冷式ヒートシンクとして動作する。ヒートシンクは、ビデオ用または懐中電灯（flash  light）としての使用といった、LEDが絶え間なく電源オンされている場合に重要である。
【０００７】
開示されるLED光ガイドの利点は、所望の発光プロフィールの生成を含んでおり、光は、カメラレンズの周囲に対称的に放射され、カメラレンズの軸方向と整列されたピーク発光を有し、そして、カメラの視野のエッジに向かってロールオフ（roll  off）する。
【０００８】
追加的な特徴および実施形態が、ここにおいて説明される。
【図面の簡単な説明】
【０００９】
【図１】図１は、一つの実施例に従った、PCB上にマウントされた上面放射LEDの断面図である。
【図２】図２は、別の実施例に従った、PCB上にマウントされた側面放射LEDの断面図である。
【図３】図３は、一つの実施例に従った、図１の前面放射(front-emitting)LEDを使用した、フラッシュモジュールの正面図であり、リング形状の光ガイド（light  guide）の開口部の中または後方に配置されたカメラレンズを伴っている。
【図４】図４は、別の実施例に従った、図２の側面放射LEDを使用した、フラッシュモジュールの正面図であり、リング形状の光ガイドの開口部の中または後方に配置されたカメラレンズを伴っている。
【図５】図５は、一つの実施例に従った、所望の発光プロフィールを達成するように光を漏れ出させるための、パターン化された光排出面（light  exit  surface）を示している、リング形状の光ガイドの断面図である。
【図６】図６は、一つの実施例に従った、フラッシュモジュールの開口部の中のフラッシュモジュールおよびカメラレンズを示しているスマートフォンの背面を示す。
【図７】図７は、カメラレンズの焦点距離におけるフラッシュモジュールの例示的な発光プロフィールを示し、カメラレンズの軸方向と整列されたピーク放射と、カメラの視野のエッジに対して対称的なロールオフ（roll  off）とを示している。
【００１０】
同一または類似の要素には、同じ数字がラベル付けされている。
【発明を実施するための形態】
【００１１】
図１は、LED10を示している。LED10としての使用のための市販されているLEDの一つの例は、Lumileds  Holdings、B．Vによって販売されているモデルLXCL-PWF4フラッシュモジュールである。LED10は、YAG蛍光体層12を用いてコーティングされた、青色発光のGaNベースダイ（GaN-based  die）を含んでいる。青色光および黄色光は、写真に適した白色光を生成する。LEDダイは、カソード金属接点14、アノード金属接点16、P型半導体層18、活性層20（量子井戸）、N型半導体層22、および、カソード金属接点14とN型半導体層22との間に電気的接続を形成するためにN型半導体層22まで延在している金属ビア（metal  vias）23、を含む。
【００１２】
LED10は、メタルコアプリント回路基板（”MCPCB”）24といったプリント回路基板（”PCB”）上にマウントされており、絶縁層26、および、フラッシュ電源を接点14、16に接続するための金属パターン28を有している。MCPCB24は、反射層30によって形成された白色（拡散反射性）背面、いくつかの実施形態においては、ＴｉＯ２といった白色拡散粒子を含んでいるもの、を有している。MCPCB24の前面（背面反射表面30の反対側）は、また、反射層を用いて被覆されてもよい。一つの実施形態において、LED10は、約１ｍｍ幅以下であり、かつ、MCPCB24は、約１−２ｍｍ幅であって、そうして、LED10を支持しているMCPCB24の部分が、薄い、アクリルのリング形状の光ガイドの中にカプセル化され得る。光がLED10の上部から（図１での「上（”up”）」方向に）放射されるので、LED10は「上面放射（”top-emitting”）」である。
【００１３】
図２は、MCPCB24上の側面放射白色光LED32示しており、ここで、LED32は、図１のものと同一であるが、全ての光がLED32の側面から放射されるように、反射層34（例えば、銀）を伴っている。反射層34は、また、側面放射レンズであってもよい。
【００１４】
図３は、カメラレンズ42のための中央開口部40を有しているリング形状の光ガイド38の上面図である。スマートフォンのための典型的なカメラレンズは、そのプラスチック支持部材を含めて、約３−７ｍｍの直径である。従って、開口部40は、約３−７ｍｍの直径であってよい。光ガイド38の外径は、５−１５ｍｍであってよい。
【００１５】
図１からの２つの前面放射LED10は、LED10をカプセル化し、かつ、光を光ガイド38へと光学的に結合するために、透明な光ガイド38の中へモールドされている。光ガイド38を形成しているアクリル材料の屈折率は、光学的結合を最適化するように選択され得る。光ガイド38の厚さは、LED10の幅よりもわずかに大きくてよい。
【００１６】
MCPCB24の一方の端部は、光ガイド38から延出しており、そして、その接点パッドが、フラッシュモジュールの一部を形成している、別の回路基板上のLEDフラッシュコントローラ52に対して電気的に接続されている。LEDフラッシュコントローラ52は、LED10の輝度および照明時間を様々な使用のためにコントロールするように構成されている。カメラフラッシュとしての使用のために短いパルスを生成する場合や、または、例えば懐中電灯として使用される場合のより長い持続時間、といったものである。光ガイド38を越えて延びるMCPCB24の端部も、また、LED10からの熱を逃がす。
【００１７】
図３に示されるように、LED10の一方からの光線46は、内部全反射により、光ガイド38の壁で内部反射し、そして、光線が光ガイド38の上面に当たり、そして、光ガイド38を出て行くまで、他方のMCPCB24の白色背面で反射する。上面は、粗面化され、または、他の光学的特徴を有しており、かなり均一な放射を生成するように光を上面から漏れ出させる。２つのLEDが示されているが、追加の光束のために、より多くが光ガイド38の中へモールドされてよい。各MCPC24の白色背面は、光ガイド38の上面に当たる光線の可能性を増加させるために、光を拡散反射している。
【００１８】
図３には、また、カメラコントロール回路50も示されている。カメラ写真が撮影されている間、LED10を活動させるためにMCPCB24の接点パッドに対して電流パルスを提供するようにLEDフラッシュコントローラ52を制御するものである。一つの例において、カメラコントロール回路50は、カメラレンズ42によって指し示めされている被写体の照明が不十分であると判断し、そして、それに応答してLED10を活動させる（energize）ようにLEDフラッシュコントローラ52を制御する。
【００１９】
図４は、図２の側面放射LED32をカプセル化している光ガイド38の上面図であり、ここで、MCPCB24の上面は、光ガイド38の光放射面に対して平行である。側面放射LED32を使用することは、LED32の上方の目に見える「ホットスポット（”hot  spots”）」を低減し、そして、より均一な放射を生成する。光ガイド38から延びるMCPCB24の端部は、図３に示されるLEDフラッシュコントローラ52に対して電気的に接続された接点パッドを有している。
【００２０】
光ガイド38は、LEDおよびMCPCBをカプセル化し、かつ、光を十分に混合するために、１−３ｍｍの厚さであってよい。より大きな光ガイド38は、リングの周囲の発光の均一性を改善する。側面放射LEDの高さはMCPCBの幅よりも小さくてよいので、図４における光ガイド38の厚さは、図３における光ガイド38の厚さよりも小さくてよい。
【００２１】
図５は、光ガイド38の断面図であって、一つの例に従って、漏れ光のための上面における光抽出特徴56を非常に強調している。光抽出特徴56は、光ガイド38の表面の粗面化を含み、かつ／あるいは、光ガイド38の表面から延在するモールドされたプリズムを含み得る。光ガイドの中の光束は、一般的に、LEDの近く、および、光を反射しているMCPCBの白色背面の近くで最大であるので、光抽出特徴56は、一方のLEDの位置と他方のLEDを支持しているMCPCBとの間の中途でより高い割合の光を抽出するように適合され得る。いくつかの実施例において、光ガイド38の表面上の異なる位置での異なる光抽出特徴は、LEDから放射される異なる量の光を、異なる方向において、抽出するために、形状、サイズ、及び／又は、コンフィグレーションが変動している。実質的に均一な光の出現を提供するためである。２つの光線58が示されており、光ガイド38の上面を出て行くように光抽出特徴56によってリダイレクトされている。
【００２２】
図６は、本リング形状のフラッシュを使用している従来のスマートフォン60の背面を図示しており、そこでは、光ガイド38およびカメラレンズ42が示されている。スマートフォンにおいて示されているが、リング形状のフラッシュは、スマートフォンにおけるカメラ以外のカメラに使用されてもよい。カメラを組み込んでいる任意の電子機器は、本開示に係るフラッシュシステムを使用することができる。そうした電子機器は、電源を含むか又は電源に対して接続され、電源とカメラとの間での電気的結合を含み、そして、処理コンポーネント、ストレージ、またはメモリ、等といった他の電子コンポーネントを含んでいる。電子機器は、また、ハウジングまたはエンクロージャを含み、その中に電子機器のコンポーネントが配置されている。フラッシュ、カメラ、およびカメラレンズは、カメラがフラッシュによって照明された被写体の画像を獲得することができるように、ハウジングから突出するように配置されている。
【００２３】
リング形状のフラッシュの機能的な利点に加えて、白色LEDにおいて典型的に存在する非審美的な（unaesthetic）黄色蛍光体が、より少なく見える。LEDが光ガイド38において横向きに取り付けられており（図３）、または、反射層34によって蛍光体が隠されている（図４）ためである。リング形状のフラッシュは、従来の「点光源（”point  source”）」LEDフラッシュよりも拡散された光を生成し、そして、人間の被写体の目からの点光源の反射は存在しない。モールドされたフラッシュモジュールは、製造するのが簡単であり、かつ、フラッシュレンズの中にLEDをカプセル化する別個の製造工程を必要としない。丸いフラッシュ（round  flash）は、カメラの視野に類似した対称的な円形発光を生成する。LEDとレンズとの間に所定のギャップを必要とするであろう、フラッシュレンズが存在しないので、本発明のフラッシュモジュールのための製造公差（tolerances）は、フラッシュレンズとフラッシュレンズの両方を含むコンフィグレーションと比較して緩和されている。
【００２４】
図７は、フラッシュのシミュレーション結果を示しており、ここで、全体の光束は３６０ルクス（lux）である。測定は、カメラレンズの焦点距離において行われており、スマートフォンのモデルに応じて、約１０ｍｍであり得る。示されるように、発光プロフィールは、水平および垂直に実質的に対称であって、中心において７４ルクスであるピーク光束を伴い、カメラの視野のエッジにおいて約４０ルクスまでロールオフ（rolling  off）していて、たいてい被写体がフレームの中央に居るスマートフォンカメラのためにフラッシュが役立つようにしている。対角線上の均一性は、７５度の視野については４０％より大きいが、光抽出特徴56（図５）を調整することによって改善することができる。
【００２５】
特定的な実施形態が示され、かつ、説明されてきたが、当業者にとっては、より広範な態様において、本開示から逸脱することなく変更および変形を行うことができること、そして、従って、添付の請求項は、本開示の真の精神および範囲内にあるそうした変更および変形の全てをその範囲内に包含すること、が明らかであろう。
【図１】
2019519803.tif 000003
【図２】
2019519803.tif 000004
【図３】
2019519803.tif 000005
【図４】
2019519803.tif 000006
【図５】
2019519803.tif 000007
【図６】
2019519803.tif 000008
【図７】
2019519803.tif 000009
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
照明装置であって、
中央開口部を有するリングとして形成された光ガイドであり、該光ガイドの光排出面上に光抽出特徴を有している、光ガイドと、
第１コンダクタを含み、かつ、前記光ガイドを通じて伝播している光を反射するための第１反射面を有する第１プリント回路基板であり、第１発光ダイオード（ＬＥＤ）を前記第１コンダクタに対して電気的に接続している、第１プリント回路基板と、を含み、
前記第１プリント回路基板の少なくとも第１部分および前記第１ＬＥＤは、前記光ガイドにおいてカプセル化されており、かつ、
前記光ガイドは、前記光排出面を通じて放射されるまで、前記第１ＬＥＤからの光を、前記光ガイドの中で内部反射している、
照明装置。
【請求項２】
前記照明装置は、さらに、
前記中央開口部の中または後方に置かれたカメラレンズ、を含む、
請求項１に記載の照明装置。
【請求項３】
前記照明装置は、さらに、
第２コンダクタを含み、かつ、前記光ガイドを通じて伝播している光を反射するための第２反射面を有する第２プリント回路基板であり、第２ＬＥＤを前記第２コンダクタに対して電気的に接続している、第２プリント回路基板と、を含み、
前記第２プリント回路基板の少なくとも第１部分および前記第２ＬＥＤは、前記光ガイドにおいてカプセル化されており、
前記光ガイドは、被写体を照明するために前記光排出面を通じて放射されるまで、前記第１ＬＥＤおよび前記第２ＬＥＤからの光を、内部反射しており、
前記第２プリント回路基板の第２背面は、前記第１ＬＥＤからの光を反射しており、かつ、
前記第１プリント回路基板の第１背面は、前記第２ＬＥＤからの光を反射している、
請求項１に記載の照明装置。
【請求項４】
前記第１プリント回路基板の前記第１背面は、第１拡散性白色表面であり、かつ、
前記第２プリント回路基板の前記第２背面は、第２拡散性白色表面である、
請求項３に記載の照明装置。
【請求項５】
前記第１ＬＥＤは、上面放射ＬＥＤであり、
前記第１プリント回路基板の第１表面は、前記第１ＬＥＤを前記第１コンダクタに対して接続しており、かつ、前記光ガイドの前記光排出面に対して実質的に垂直であり、かつ、
前記反射面は、前記第１プリント回路基板の背面である、
請求項１に記載の照明装置。
【請求項６】
前記第１ＬＥＤは、側面放射ＬＥＤであり、かつ、
前記第１プリント回路基板の第１表面は、前記第１ＬＥＤを前記第１コンダクタに対して接続しており、かつ、前記光ガイドの前記光排出面に対して平行である、
請求項１に記載の照明装置。
【請求項７】
前記照明装置は、さらに、
前記光ガイドにおいてカプセル化された、追加のＬＥＤおよび対応するプリント回路基板、を含む、
請求項１に記載の照明装置。
【請求項８】
前記光抽出特徴は、
当たっている光の異なる量を抽出するために、形状、サイズ、又は、コンフィグレーションのうち１つまたはそれ以上が変動しており、前記光排出面の周囲から出て行く光が実質的に均一になるようにしている、
請求項１に記載の照明装置。
【請求項９】
前記光排出面から放射された光の発光プロフィールは、前記光ガイドからの焦点距離において、前記中央開口部の軸と実質的に整列されたピークを有しており、かつ、前記中央開口部から離れると減少していく、
請求項１に記載の照明装置。
【請求項１０】
前記第１プリント回路基板の第２部分が、前記光ガイドから延びており、かつ、電源に対して接続されている、
請求項１に記載の照明装置。
【請求項１１】
電子機器であって、
ハウジングと、
前記ハウジング上に配置されているフラッシュ装置と、
前記ハウジングの中に配置されているカメラと、
前記カメラに対して結合され、かつ、前記フラッシュ装置の光ガイドの中央開口部の中に配置されているカメラレンズと、を含み、
前記フラッシュ装置は、
前記中央開口部を有するリングとして形成された光ガイドであり、該光ガイドの光排出面上に光抽出特徴を有している、光ガイドと、
第１コンダクタを含み、かつ、前記光ガイドを通じて伝播している光を反射するための第１反射面を有する第１プリント回路基板であり、第１発光ダイオード（ＬＥＤ）を前記第１コンダクタに対して電気的に接続している、第１プリント回路基板と、を含み、
前記第１プリント回路基板の少なくとも第１部分および前記第１ＬＥＤは、前記光ガイドにおいてカプセル化されており、かつ、
前記光ガイドは、前記光排出面を通じて放射されるまで、前記第１ＬＥＤからの光を、前記光ガイドの中で内部反射している、
電子機器。
【請求項１２】
前記フラッシュ装置は、さらに、
第２コンダクタを含み、かつ、前記光ガイドを通じて伝播している光を反射するための第２反射面を有する第２プリント回路基板であり、第２ＬＥＤを前記第２コンダクタに対して電気的に接続している、第２プリント回路基板と、を含み、
前記第２プリント回路基板の少なくとも第１部分および前記第２ＬＥＤは、前記光ガイドにおいてカプセル化されており、
前記光ガイドは、被写体を照明するために前記光排出面を通じて放射されるまで、前記第１ＬＥＤおよび前記第２ＬＥＤからの光を、内部反射しており、
前記第２プリント回路基板の第２背面は、前記第１ＬＥＤからの光を反射しており、かつ、
前記第１プリント回路基板の第１背面は、前記第２ＬＥＤからの光を反射している、
請求項１１に記載の電子機器。
【請求項１３】
前記第１プリント回路基板の前記第１背面は、第１拡散性白色表面であり、かつ、
前記第２プリント回路基板の前記第２背面は、第２拡散性白色表面である、
請求項１２に記載の電子機器。
【請求項１４】
前記第１ＬＥＤは、上面放射ＬＥＤであり、
前記第１プリント回路基板の第１表面は、前記第１ＬＥＤを前記第１コンダクタに対して接続しており、かつ、前記光ガイドの前記光排出面に対して実質的に垂直であり、かつ、
前記反射面は、前記第１プリント回路基板の背面である、
請求項１１に記載の電子機器。
【請求項１５】
前記第１ＬＥＤは、側面放射ＬＥＤであり、かつ、
前記第１プリント回路基板の第１表面は、前記第１ＬＥＤを前記第１コンダクタに対して接続しており、かつ、前記光ガイドの前記光排出面に対して平行である、
請求項１１に記載の電子機器。
【請求項１６】
前記フラッシュ装置は、さらに、
前記光ガイドにおいてカプセル化された、追加のＬＥＤおよび対応するプリント回路基板、を含む、
請求項１１に記載の電子機器。
【請求項１７】
前記光抽出特徴は、
当たっている光の異なる量を抽出するために、形状、サイズ、又は、コンフィグレーションのうち１つまたはそれ以上が変動しており、前記光排出面の周囲から出て行く光が実質的に均一になるようにしている、
請求項１１に記載の電子機器。
【請求項１８】
前記光排出面から放射された光の発光プロフィールは、前記光ガイドからの焦点距離において、前記中央開口部の軸と実質的に整列されたピークを有しており、かつ、前記中央開口部から離れると減少していく、
請求項１１に記載の電子機器。
【請求項１９】
前記第１プリント回路基板の第２部分が、前記光ガイドから延びており、かつ、電源に対して接続されている、
請求項１１に記載の電子機器。
【請求項２０】
前記電子機器は、スマートフォンとして構成されている、
請求項１１に記載の電子機器。
【国際調査報告】
2019519803.tif 000010
2019519803.tif 000011
2019519803.tif 000012